(57)【要約】【課題】隣接するタイル同士が連結材によって連結されると共に、この連結材が広い面積を有した片体を介して壁面などの施工対象面に取り付けられるタイルユニットと、その施工構造及び施工方法を提供する。【解決手段】タイルユニット１は、複数枚のタイル２を縦横の目地が直交するように目地間隔をあけて配列し、タイル２同士をネット３によって連結したものである。４枚のタイル２の交点部分に片体５が配置されている。この片体５は円板形であり、中央部にビス等を通すための小孔５ａが設けられている。タイルユニット１をモルタル１０や接着剤で壁面８に張り付けた後、ビス９を片体５の小孔５ａから壁面８にねじ込む。【選択図】図２
2011196061.tif 000002
【特許請求の範囲】
【請求項１】
複数枚のタイルが目地間隙をあけて配列され、タイル裏面に付着された連結材によって隣接するタイル同士が連結されたタイルユニットにおいて、
目地間隙を跨いで隣接するタイル間に跨った片体が、該タイル裏面と該連結材との間に介在されていることを特徴とするタイルユニット。
【請求項２】
請求項１において、タイル裏面のうち前記片体と重なる部分が凹部となっていることを特徴とするタイルユニット。
【請求項３】
請求項１又は２において、前記片体とタイル裏面との間に緩衝材が介在されていることを特徴とするタイルユニット。
【請求項４】
請求項１ないし３のいずれか１項に記載のタイルユニットを施工対象面に張り付けたタイルユニットの施工構造であって、該片体を固定具によって施工対象面に固定したことを特徴とするタイルユニットの施工構造。
【請求項５】
請求項１ないし３のいずれか１項に記載のタイルユニットを施工対象面に張り付けるタイルユニットの施工方法であって、
該片体を固定具によって施工対象面に固定することを特徴とするタイルユニットの施工方法。
【発明の詳細な説明】
【技術分野】
【０００１】
本発明は、複数枚のタイルが縦横に配置され、隣接するタイル同士が連結材によって連結されたタイルユニットと、その施工構造及び施工方法に関するものである。
【背景技術】
【０００２】
複数のタイルを連結したタイルユニットを壁面に張り付け施工すると、タイルを１枚ずつ張り付け施工する場合に比べ、施工効率が著しく向上する。このようなタイルユニットとして、複数枚のタイルが目地間隙をあけて配置され、隣接するタイル同士が連結材によって連結されたタイルユニットが広く用いられるようになってきている。
【０００３】
特開平６−１０１３２１（特許文献１）には、複数枚のタイルの裏面を不織布に接着させたタイルユニットが記載されている。この特許文献１では、このタイルユニットをモルタルによって壁面に接着すると共に、目地間隙の交点部に十字形の薄板状の金具を配設し、該金具を貫いてコンクリートビスを壁面に打ち込み、タイルユニットの壁面への取付強度を高めることが記載されている。
【０００４】
特開２００１−４０８５７（特許文献２）には、目地間隙をあけて配列されたタイル同士が、各タイルの裏面端縁部に付着する連結片によって連結されたタイルユニットが記載されている。この特許文献２では、タイルユニットをモルタルや接着剤で壁面に張り付けると共に、連結片を貫通して壁面にビスを打ち込み、張り付け強度を高めている。
【先行技術文献】
【特許文献】
【０００５】
【特許文献１】特開平６−１０１３２１
【特許文献２】特開２００１−４０８５７
【発明の概要】
【発明が解決しようとする課題】
【０００６】
上記特許文献１では、金具が目地間隙に入る細幅のものであるため、金具が押える不織布の領域が小さい。特許文献２のタイルユニットでは、隣接するタイル同士は連結片のみによって連結されている。
【０００７】
本発明は、隣接するタイル同士が連結材によって連結されると共に、この連結材が広い面積を有した片体を介して壁面などの施工対象面に取り付けられるタイルユニットと、その施工構造及び施工方法を提供することを目的とする。
【課題を解決するための手段】
【０００８】
本発明（請求項１）のタイルユニットは、複数枚のタイルが目地間隙をあけて配列され、タイル裏面に付着された連結材によって隣接するタイル同士が連結されたタイルユニットにおいて、目地間隙を跨いで隣接するタイル間に跨った片体が、該タイル裏面と該連結材との間に介在されていることを特徴とするものである。
【０００９】
請求項２のタイルユニットは、請求項１において、タイル裏面のうち前記片体と重なる部分が凹部となっていることを特徴とするものである。
【００１０】
請求項３のタイルユニットは、請求項１又は２において、前記片体とタイル裏面との間に緩衝材が介在されていることを特徴とするものである。
【００１１】
本発明（請求項４）のタイルユニットの施工構造は、請求項１ないし３のいずれか１項に記載のタイルユニットを施工対象面に張り付けたタイルユニットの施工構造であって、該片体を固定具によって施工対象面に固定したことを特徴とするものである。
【００１２】
本発明（請求項５）のタイルユニットの施工方法は、請求項１ないし３のいずれか１項に記載のタイルユニットを施工対象面に張り付けるタイルユニットの施工方法であって、該片体を固定具によって施工対象面に固定することを特徴とする。
【発明の効果】
【００１３】
本発明のタイルユニットは、隣接するタイル同士がタイル裏面に付着された連結材によって連結されると共に、目地間隙を跨いでタイル裏面と該連結材との間に介在する片体を備えている。このタイルユニットは、施工対象面にモルタル、接着剤などによって張り付けられた後、片体を通してビス等の固定具を施工対象面に打ち込むことにより施工対象面に固定される。この片体は、目地間隙を跨ぐ大きさを有しているので、連結材を押える面積が大きい。そのため、タイルユニットの張り付け強度が高い。
【００１４】
なお、タイル裏面のうち片体と重なる部分を凹部としておくと、片体の厚みを大きくしても片体が不陸をもたらさないようになる。片体の厚みを大きくすると、片体の強度や剛性が高くなる。
【００１５】
本発明では、片体とタイル裏面との間に緩衝材を介在させてもよい。このようにすれば、タイルユニットを重ねたりしたときにタイルに加えられる衝撃が緩和され、タイルの傷付きや割れが防止される。
【図面の簡単な説明】
【００１６】
【図１】本発明の実施の形態に係るタイルユニットの施工構造及び方法を示す斜視図である。
【図２】図１のII−II線に沿う断面図である。
【図３】本発明の実施の形態に係るタイルユニットの分解斜視図である。
【図４】図１〜３のタイルユニットの裏面の斜視図である。
【図５】図４のＶ−Ｖ線拡大断面図である。
【図６】別の実施の形態に係るタイルユニットの拡大断面図である。
【図７】さらに別の実施の形態に係るタイルユニットの拡大断面図である。
【図８】異なる実施の形態に係るタイルユニットの裏面図である。
【発明を実施するための形態】
【００１７】
以下、図面を参照して実施の形態について説明する。
【００１８】
第１図〜第５図は第１の実施の形態を示すものであり、第１図はタイルユニット１の施工構造及び方法を示す斜視図、第２図はこの施工構造を示す断面図、第３図はタイルユニットの分解斜視図、第４図はタイルユニットの裏面の斜視図、第５図は第４図のＶ−Ｖ線拡大断面図である。
【００１９】
このタイルユニット１は、複数枚のタイル２を縦横の目地が直交するように目地間隔をあけて配列し、タイル２同士を連結材としてのネット３によって連結したものである。この実施の形態では、４枚のタイル２によってタイルユニット１が構成されており、４枚のタイル２の交点部分に片体５が配置されている。この片体５は円板形であり、中央部にビス等を通すための小孔５ａが設けられている。なお、片体５の形状は、円板形状に限るものではなく、他の形状でもよい。
【００２０】
タイル２の４個のコーナー部において、裏面に四分円弧形の凹部４が設けられている。凹部４の大きさは、片体５の略々１／４又はそれよりも若干大きい程度となっている。４枚のタイル２のコーナー部が対峙するタイルユニット１の目地交点においては、４個の凹部４が集合することにより、円形の凹部が形成され、この円形の凹部内に片体５が配置されている。片体５は、タイル２に接着又は粘着されてもよく、接着又は粘着されなくてもよい。なお、凹部４が集合する時の形状は、円形に限るものではなく、片体５が凹部に納まる形状であればよい。
【００２１】
片体５は、４枚のタイル２の隅角部にまたがって、目地交点を覆うように配置されている。片体５は、凹部４以外のタイル２の裏面よりも非突出となっている。
【００２２】
ネット３は、この片体５に被さるようにしてタイル２の裏面に接着剤によって貼り付けられている。片体５とネット３とは接着されるのが好ましいが、片体５がタイル２に接着又は粘着される場合は、片体５とネット３とは接着されなくてもよい。
【００２３】
この実施の形態では、ネット３は、第４図の通り、タイル２の目地に沿う辺縁部にのみ付着されるように十字形状となっているが、後述の第８図のように、図示よりも大きい面積を覆う方形などとされてもよい。
【００２４】
このタイルユニット１を壁面８に施工するには、モルタル１０やタイル張り付け用接着剤を用いて、タイルユニット１の各タイル２の裏面を壁面８に張り付ける。そして、この片体５の小孔５ａを通して固定具（この実施の形態ではビス）９を壁面８にねじ込む。これにより、タイルの脱落を確実に防止することができる。また、各タイルの裏面がモルタル、接着剤等によって壁面８に直接的に張り付けられているので、タイルの張り付け強度もきわめて高い。その後、目地間隙に目地材を充填する。なお、タイルをモルタル張りする場合には目地詰めが必要であるが、接着剤張りする場合は、目地詰めを行わなくてもよい。
【００２５】
なお、固定具としては、ビス以外の釘、タッカー、アンカー等を用いてもよい。固定具として釘やタッカーを用いる場合には、片体に小孔を設けなくてもよい。
【００２６】
この実施の形態では、凹部４をタイル２の４個のコーナー部に設けているので、タイル２を配列するときにタイルの向きをどのようにしても、タイルユニットの目地交点部に４個のタイルの凹部４が揃うことになる。凹部４はタイルの成形時に形成しておくのが好ましい。
【００２７】
この実施の形態では、片体５をタイル２の凹部４に係合させ、第５図のようにタイル２の裏面から非突出としている。このように片体５がタイル２の裏面から突出しないため、タイルユニット１の裏面に不陸が発生せず、タイルユニット１の張り付けが容易となる。ただし、本発明では、第６図のように、タイル２に凹部４を設けず、片体５がタイル２の裏面から突出状態となってもよい。
【００２８】
この実施の形態では、片体５は目地交点に配置されているが、目地交点以外の箇所に設けられてもよい。例えば、タイル２の辺の途中において２個のタイル２，２に跨って配置されてもよい。
【００２９】
本発明では、第７図のように、片体５とタイル２との間に緩衝材６を設けてもよい。この緩衝材としては、弾力性を有した樹脂系接着剤、粘着剤、ゴム、スポンジなどよりなるものが好適である。この緩衝材６は、片体５に予め付着させておくのが好ましい。緩衝材６を設けることにより、タイル２に荷重がかかったりしたときのタイルの傷つきや割れが防止される。緩衝材が接着剤又は粘着剤よりなる場合には、運搬時等における片体５の脱落が防止されると共に、タイル２同士を連結する作用も奏される。
【００３０】
上記実施の形態では、４枚のタイル２によってタイルユニット１を構成しているが、２枚、３枚又は５枚以上のタイルによってタイルユニットを構成してもよい。第８図は１８枚のタイル１２をネット１３で連結してなるタイルユニット１１の裏面図である。各タイル１２の４コーナー部には四分円弧形の凹部１４が設けられている。目地交点部分では、凹部１４内に納まるようにして片体１５が各タイル１２に跨って配置されている。この片体１５は前記片体５と同様のものである。
【００３１】
ネット１３は、タイルユニット１１の裏面の周縁部を除くほぼ全領域を覆う大きさの方形のシート状のものであり、接着剤１６によって各タイル１２に固着されている。
【００３２】
上記実施の形態はいずれも本発明の一例であり、本発明は図示以外の形態とされてもよい。本発明のタイルユニットは、ネット以外の材料によってタイル同士を連結してもよい。
【符号の説明】
【００３３】
１，１１  タイルユニット
２，１２  タイル
３，１３  ネット
４，１４  凹部
５，１５  片体
８  壁面
９  ビス
１６  接着剤
【図１】
2011196061.tif 000003
【図２】
2011196061.tif 000004
【図３】
2011196061.tif 000005
【図４】
2011196061.tif 000006
【図５】
2011196061.tif 000007
【図６】
2011196061.tif 000008
【図７】
2011196061.tif 000009
【図８】
2011196061.tif 000010